(57)【特許請求の範囲】
【請求項１】
電源端子のピンを受容して前記電源端子の前記ピンに電気的に接続されるように構成されたソケット（１６８）を有する端子本体（１５０）と、
前記端子本体（１５０）に結合されたスプリングクリップ（１５６）であって、ロック位置と逃げ位置との間を移動可能であり、前記ロック位置では前記電源端子の前記ピンと係合して前記電源端子コネクタを前記電源端子に固定するように構成され、前記逃げ位置では前記電源端子の前記ピンから離脱されるように構成された前記スプリングクリップ（１５６）と、
前記端子本体（１５０）に結合されたキャップ（１５８）であって、前記スプリングクリップ（１５６）に結合され、前記キャップ（１５８）を作動させると前記ロック位置と前記逃げ位置との間で前記スプリングクリップを移動させる前記キャップ（１５８）と
を備え、
前記スプリングクリップ（１５６）は、第１の端部（１８０）及び第２の端部（１８２）を含み、
前記第１の端部が前記端子本体（１５０）に固定的に結合され、
前記第２の端部が前記キャップ（１５８）に固定的に結合され、
前記キャップを作動させると、前記第１の端部は所定の位置に固定されたまま残り、
前記キャップを作動させると、第２の端部は前記キャップと共に移動される電源端子コネクタ。
【請求項２】
電源端子のピンを受容して前記電源端子の前記ピンに電気的に接続されるように構成されたソケット（１６８）を有する端子本体（１５０）と、
前記端子本体（１５０）に結合されたスプリングクリップ（１５６）であって、ロック位置と逃げ位置との間を移動可能であり、前記ロック位置では前記電源端子の前記ピンと係合して前記電源端子コネクタを前記電源端子に固定するように構成され、前記逃げ位置では前記電源端子の前記ピンから離脱されるように構成された前記スプリングクリップ（１５６）と、
前記端子本体（１５０）に結合されたキャップ（１５８）であって、前記スプリングクリップ（１５６）に結合され、前記キャップ（１５８）を作動させると前記ロック位置と前記逃げ位置との間で前記スプリングクリップを移動させる前記キャップ（１５８）と
を備え、
前記端子本体（３５０）を包囲するハウジング（３５４）を更に備え、
前記キャップ（３５８）が前記ハウジングに対して移動可能であり、
前記スプリングクリップ（３５６）は、第１の端部（３８０）と、第２の端部（３８２）と、前記第１及び第２の端部間にリング（３８４）を有し、
前記リングは、前記ロック位置において前記ピンの周囲を少なくとも部分的に巻き付くように構成され、
前記第１及び第２の端部は、前記ハウジングに結合されて前記ハウジングに対して所定の位置に固定され、
前記キャップを作動させると、前記リングは前記キャップと共に横方向に移動する電源端子コネクタ（３０２）。
【請求項３】
電源端子のピンを受容して前記電源端子の前記ピンに電気的に接続されるように構成されたソケット（１６８）を有する端子本体（１５０）と、
前記端子本体（１５０）に結合されたスプリングクリップ（１５６）であって、ロック位置と逃げ位置との間を移動可能であり、前記ロック位置では前記電源端子の前記ピンと係合して前記電源端子コネクタを前記電源端子に固定するように構成され、前記逃げ位置では前記電源端子の前記ピンから離脱されるように構成された前記スプリングクリップ（１５６）と、
前記端子本体（１５０）に結合されたキャップ（１５８）であって、前記スプリングクリップ（１５６）に結合され、前記キャップ（１５８）を作動させると前記ロック位置と前記逃げ位置との間で前記スプリングクリップを移動させる前記キャップ（１５８）と
を備え、
前記スプリングクリップ（１５６）は、第１の端部（１８０）及び第２の端部（１８２）を含み、
前記第１の端部が前記端子本体（１５０）に固定的に結合され、
前記第２の端部が前記キャップ（１５８）に固定的に結合され、
前記スプリングクリップが開口側（１８４）を備える曲線形状を有し、
前記第１及び第２の端部が前記スプリングクリップの前記側面開口にて互いに対向し、
前記キャップが作動されて前記スプリングクリップを前記逃げ位置に移動させると、前記第２の端部が前記第１の端部から離れるように移動される電源端子コネクタ（１０２）。
【請求項４】
電源端子のピンを受容して前記電源端子の前記ピンに電気的に接続されるように構成されたソケット（１６８）を有する端子本体（１５０）と、
前記端子本体（１５０）に結合されたスプリングクリップ（１５６）であって、ロック位置と逃げ位置との間を移動可能であり、前記ロック位置では前記電源端子の前記ピンと係合して前記電源端子コネクタを前記電源端子に固定するように構成され、前記逃げ位置では前記電源端子の前記ピンから離脱されるように構成された前記スプリングクリップ（１５６）と、
前記端子本体（１５０）に結合されたキャップ（１５８）であって、前記スプリングクリップ（１５６）に結合され、前記キャップ（１５８）を作動させると前記ロック位置と前記逃げ位置との間で前記スプリングクリップを移動させる前記キャップ（１５８）と
を備え、
前記スプリングクリップ（１５６）は、前記スプリングクリップの閉鎖側（１８６）で連結された第１のアーム（１８８）及び第２のアーム（１９０）を有し、
前記第１のアームは第１の端部（１８０）まで延在し、
前記第２のアームは第２の端部（１８２）まで延在し、
前記第１の端部は前記端子本体（１５０）に固定的に結合され、
前記第２の端部は前記キャップ（１５８）に固定的に結合される電源端子コネクタ（１０２）。
【請求項５】
ピン（１２４）を有する電源端子（１０４）を有するヘッダ（１２０）と、
前記ヘッダ（１２０）の前記電源端子（１０４）に結合された電源端子コネクタ（１０２）と
を備えるコネクタシステム（１００）であって、
前記電源端子コネクタ（１０２）が、
前記電源端子（１０２）の前記ピン（１２４）を受容して前記電源端子（１０２）の前記ピン（１２４）に電気的に接続されるように構成されたソケット（１６８）を有する端子本体（１５０）と、
前記端子本体（１５０）に結合されたスプリングクリップ（１５６）であって、ロック位置と逃げ位置との間を移動可能であり、前記ロック位置では前記電源端子（１０４）の前記ピン（１２４）と係合して前記電源端子コネクタ（１０２）を前記電源端子（１０４）に固定するように構成され、前記逃げ位置では前記電源端子（１０４）の前記ピン（１２４）から離脱されるように構成された前記スプリングクリップ（１５６）と、
前記端子本体（１５０）に結合されたキャップ（１５８）であって、前記スプリングクリップ（１５６）に結合され、前記キャップ（１５８）を作動させると前記ロック位置と前記逃げ位置との間で前記スプリングクリップを移動させる前記キャップ（１５８）と
を備え、
前記スプリングクリップ（１５６）は、第１の端部（１８０）及び第２の端部（１８２）を含み、
前記第１の端部が前記端子本体（１５０）に固定的に結合され、
前記第２の端部が前記キャップ（１５８）に固定的に結合され、
前記キャップを作動させると、前記第１の端部は所定の位置に固定されたまま残り、
前記キャップを作動させると、第２の端部は前記キャップと共に移動されるコネクタシステム（１００）。
【請求項６】
ピン（１２４）を有する電源端子（１０４）を有するヘッダ（１２０）と、
前記ヘッダ（１２０）の前記電源端子（１０４）に結合された電源端子コネクタ（１０２）と
を備えるコネクタシステム（１００）であって、
前記電源端子コネクタ（１０２）が、
前記電源端子（１０２）の前記ピン（１２４）を受容して前記電源端子（１０２）の前記ピン（１２４）に電気的に接続されるように構成されたソケット（１６８）を有する端子本体（１５０）と、
前記端子本体（１５０）に結合されたスプリングクリップ（１５６）であって、ロック位置と逃げ位置との間を移動可能であり、前記ロック位置では前記電源端子（１０４）の前記ピン（１２４）と係合して前記電源端子コネクタ（１０２）を前記電源端子（１０４）に固定するように構成され、前記逃げ位置では前記電源端子（１０４）の前記ピン（１２４）から離脱されるように構成された前記スプリングクリップ（１５６）と、
前記端子本体（１５０）に結合されたキャップ（１５８）であって、前記スプリングクリップ（１５６）に結合され、前記キャップ（１５８）を作動させると前記ロック位置と前記逃げ位置との間で前記スプリングクリップを移動させる前記キャップ（１５８）と
を備え、
前記端子本体（３５０）を包囲するハウジング（３５４）を更に備え、
前記キャップ（３５８）が前記ハウジングに対して移動可能であり、
前記スプリングクリップ（３５６）は、第１の端部（３８０）と、第２の端部（３８２）と、前記第１及び第２の端部間にリング（３８４）を有し、
前記リングは、前記ロック位置において前記ピンの周囲を少なくとも部分的に巻き付くように構成され、
前記第１及び第２の端部は、前記ハウジングに結合されて前記ハウジングに対して所定の位置に固定され、
前記キャップを作動させると、前記リングは前記キャップと共に横方向に移動するコネクタシステム（１００）。
【請求項７】
ピン（１２４）を有する電源端子（１０４）を有するヘッダ（１２０）と、
前記ヘッダ（１２０）の前記電源端子（１０４）に結合された電源端子コネクタ（１０２）と
を備えるコネクタシステム（１００）であって、
前記電源端子コネクタ（１０２）が、
前記電源端子（１０２）の前記ピン（１２４）を受容して前記電源端子（１０２）の前記ピン（１２４）に電気的に接続されるように構成されたソケット（１６８）を有する端子本体（１５０）と、
前記端子本体（１５０）に結合されたスプリングクリップ（１５６）であって、ロック位置と逃げ位置との間を移動可能であり、前記ロック位置では前記電源端子（１０４）の前記ピン（１２４）と係合して前記電源端子コネクタ（１０２）を前記電源端子（１０４）に固定するように構成され、前記逃げ位置では前記電源端子（１０４）の前記ピン（１２４）から離脱されるように構成された前記スプリングクリップ（１５６）と、
前記端子本体（１５０）に結合されたキャップ（１５８）であって、前記スプリングクリップ（１５６）に結合され、前記キャップ（１５８）を作動させると前記ロック位置と前記逃げ位置との間で前記スプリングクリップを移動させる前記キャップ（１５８）と
を備え、
前記スプリングクリップ（１５６）は、第１の端部（１８０）及び第２の端部（１８２）を含み、
前記第１の端部が前記端子本体（１５０）に固定的に結合され、
前記第２の端部が前記キャップ（１５８）に固定的に結合され、
前記スプリングクリップが開口側（１８４）を備える曲線形状を有し、
前記第１及び第２の端部が前記スプリングクリップの前記側面開口にて互いに対向し、
前記キャップが作動されて前記スプリングクリップを前記逃げ位置に移動させると、前記第２の端部が前記第１の端部から離れるように移動されるコネクタシステム（１００）。
【請求項８】
ピン（１２４）を有する電源端子（１０４）を有するヘッダ（１２０）と、
前記ヘッダ（１２０）の前記電源端子（１０４）に結合された電源端子コネクタ（１０２）と
を備えるコネクタシステム（１００）であって、
前記電源端子コネクタ（１０２）が、
前記電源端子（１０２）の前記ピン（１２４）を受容して前記電源端子（１０２）の前記ピン（１２４）に電気的に接続されるように構成されたソケット（１６８）を有する端子本体（１５０）と、
前記端子本体（１５０）に結合されたスプリングクリップ（１５６）であって、ロック位置と逃げ位置との間を移動可能であり、前記ロック位置では前記電源端子（１０４）の前記ピン（１２４）と係合して前記電源端子コネクタ（１０２）を前記電源端子（１０４）に固定するように構成され、前記逃げ位置では前記電源端子（１０４）の前記ピン（１２４）から離脱されるように構成された前記スプリングクリップ（１５６）と、
前記端子本体（１５０）に結合されたキャップ（１５８）であって、前記スプリングクリップ（１５６）に結合され、前記キャップ（１５８）を作動させると前記ロック位置と前記逃げ位置との間で前記スプリングクリップを移動させる前記キャップ（１５８）と
を備え、
前記スプリングクリップ（１５６）は、前記スプリングクリップの閉鎖側（１８６）で連結された第１のアーム（１８８）及び第２のアーム（１９０）を有し、
前記第１のアームは第１の端部（１８０）まで延在し、
前記第２のアームは第２の端部（１８２）まで延在し、
前記第１の端部は前記端子本体（１５０）に固定的に結合され、
前記第２の端部は前記キャップ（１５８）に固定的に結合されるコネクタシステム（１００）。
【発明の詳細な説明】
【技術分野】
【０００１】
本発明は、総括的には電源端子コネクタを有するコネクタシステムに関する。
【発明の概要】
【発明が解決しようとする課題】
【０００２】
電源端子コネクタは様々な種類のコネクタシステムにおいて使用されている。その一つの用途が自動車での用途であり、例えば車両のバッテリへ接続するために使用される。用途によっては、バッテリ周囲の空間、例えば、バッテリの上方、バッテリの正面、バッテリの一方の側面又は他方の側面に対する空間が制限される場合がある。このような空間内部に延出する電源端子コネクタのための余裕がない場合があり、或いは、電源端子コネクタをバッテリの電源端子に接続及びそこから切断するための工具を入れる余裕がバッテリ周囲にない場合がある。更に、電源端子コネクタをバッテリの電源端子に接続又はそこから切断するには時間がかかり、特殊で高価な工具を必要とする場合がある。
【課題を解決するための手段】
【０００３】
この解決手段は、本書に記述される電源端子コネクタによって提供され、この電源端子コネクタは、電源端子のピンを受容し、前記電源端子の前記ピンに電気的に接続されるように構成されたソケットを有する端子本体を有する。前記端子本体にはスプリングクリップが結合され、前記スプリングクリップはロック位置と逃げ位置との間を移動可能である。前記スプリングクリップは、前記ロック位置で前記電源端子の前記ピンと係合して前記電源端子コネクタを前記電源端子に固定するように構成される。前記スプリングクリップは、前記逃げ位置では前記電源端子の前記ピンから離脱されるように構成される。前記端子本体にはキャップが結合される。前記キャップは、前記スプリングクリップに結合され、前記キャップが作動されると、前記スプリングクリップを前記ロック位置と前記逃げ位置との間で移動させる。
【０００４】
以下、添付の図面を参照して本発明を一例として記述される。
【図面の簡単な説明】
【０００５】
【図１】例示的一実施形態に従って形成されたコネクタシステムを示す。
【０００６】
【図２】図１に示すコネクタシステムと共に使用されるバッテリの一部及びヘッダを示す。
【０００７】
【図３】図１に示すコネクタシステムの電源端子コネクタの分解図である。
【０００８】
【図４】図３に示す電源端子コネクタの部分的に組み立てられた状態を示す図である。
【０００９】
【図５】電源端子に結合される図３に示す電源端子コネクタの断面図である。
【００１０】
【図６】組立途中の電源端子コネクタを示す、電源端子に結合される電源端子コネクタの他の断面図である。
【００１１】
【図７】電源端子コネクタが着座してロックされた状態を示す電源端子コネクタ及び電源端子の他の断面図である。
【００１２】
【図８】電源端子コネクタが電源端子からロック解除された状態を示す電源端子コネクタ及び電源端子の他の断面図である。
【００１３】
【図９】ロックされた状態の電源端子コネクタの一部の平面図である。
【００１４】
【図１０】ロック解除された状態の電源端子コネクタの一部の平面図である。
【００１５】
【図１１】非作動位置にあるキャップを示す電源端子コネクタの上からの斜視図である。
【００１６】
【図１２】作動位置にあるキャップを示す電源端子コネクタの上からの斜視図である。
【００１７】
【図１３】例示的一実施形態に従って形成される電源端子コネクタの分解図である。
【００１８】
【図１４】図１３に示す電源端子コネクタ用のスプリングクリップを示す。
【００１９】
【図１５】図１３に示す電源端子コネクタ用のキャップを示す。
【００２０】
【図１６】非作動位置にあるキャップ及びスプリングクリップを示す電源端子コネクタの断面図である。
【００２１】
【図１７】作動位置にあるキャップ及びスプリングクリップを示す電源端子コネクタの断面図である。
【００２２】
【図１８】非作動位置にあるキャップ及びスプリングクリップを示す電源端子コネクタの断面図である。
【００２３】
【図１９】作動位置にあるキャップ及びスプリングクリップを示す電源端子コネクタの断面図である。
【発明を実施するための形態】
【００２４】
図１は、例示的一実施形態に従って形成されたコネクタシステム１００を示す。コネクタシステム１００は、バッテリ１０６等のコンポーネントの電源端子１０４（図２に示す）に終端接続した電源端子コネクタ１０２を含む。電源端子コネクタ１０２はケーブル１０８の端部に終端接続する。バッテリ１０６は車両に用いられる任意の電圧バッテリでよい。任意で、車両は電気自動車又はハイブリッド電気自動車でもよく、バッテリ１０６は電気自動車又はハイブリッド電気自動車用の電源システムの一部として用いられてもよい。
【００２５】
電源端子コネクタ１０２は、電源端子１０４に容易且つ迅速に終端接続することができるクイックコネクト／クイックディスコネクト型のコネクタである。電源端子コネクタ１０２は、バッテリ１０６周囲の空間を節約するように非常に低背である。
【００２６】
バッテリ１０６は、上面１１０、上面１１０に垂直な正面１１２、及び上面１１０及び正面１１２に垂直な側面１１４を含む。上面１１０、正面１１２、及び側面１１４は一般的にバッテリ１０６の角で交差する。例示的一実施形態では、バッテリ１０６はこの角に切欠き領域１１６を含む。切欠き領域１１６は、上面１１０の下方、正面１１２の背後、且つ側面１１４から内側に向かって設けられた凹みである。切欠き領域１１６は、上面１１０、正面１１２、及び側面１１４に沿って延在する平面によって画定される窓部又は外囲部（ｅｎｖｅｌｏｐｅ）を画定する。
【００２７】
電源端子１０４及び電源端子コネクタ１０２は切欠き領域１１６内に配置される。バッテリ１０６は切欠き領域１１６の底面に取付けパッド１１８を含む。電源端子１０４は取付けパッド１１８から延出している。取付けパッド１１８にはヘッダ１２０が結合される。ヘッダ１２０には電源端子コネクタ１０２が結合される。例示的一実施形態では、ヘッダ１２０は、それが上面１１０、正面１１２、又は側面１１４から突き出ないように切欠き領域１１６内に収容されている。電源端子コネクタ１０２は、それが上面１１０から（例えば上方に）突き出ないように電源端子１０４及びヘッダ１２０に結合される。電源端子コネクタ１０２は、それが側面１１４から（例えばその外側に）突き出ないように電源端子１０４及びヘッダ１２０に結合される。電源端子コネクタ１０２の一部及び／又はケーブル１０８が正面１１２から延出する。従って、他のバッテリ等その他のコンポーネントを、ヘッダ１２０又は電源端子コネクタ１０２に邪魔されることなく、側面１１４の真横に配置することができる。カバーや蓋のような他のコンポーネントはヘッダ１２０や電源端子コネクタ１０２に邪魔されることなく、上面１１０に沿って延在することができる。
【００２８】
他の実施形態では、ケーブル１０８及び電源端子コネクタ１０２を正面１１２から延出させるのではなく、ケーブル１０８及び電源端子コネクタ１０２を側面１１４から延出させてもよい。かかる実施形態では、電源端子コネクタ１０２は、正面１１２から（例えばその前方へ）突き出てはならない。更に他の実施形態では、電源端子コネクタ１０２は、凹みが形成されない又はヘッダを含まないバッテリ又はその他のコンポーネントに結合されてもよい。
【００２９】
図２は、切欠き領域１１６でバッテリ１０６に結合されたヘッダ１２０を備える切欠き領域１１６を示すバッテリ１０６の一部を示す。例示的一実施形態では、ヘッダ１２０は電源端子コネクタ１０２（図１に示す）との接点を提供するバッテリ１０６の固定されたコネクタである。ヘッダ１２０は電源端子１０４を含む。
【００３０】
電源端子１０４は、バスバー１２２と、バスバー１２２から延出しバスバー１２２に電気的に結合されたピン１２４を含む。ピン１２４は、正面１１２及び側面１１４とほぼ平行なピン軸１２６に沿って延在する。図示の実施形態では、バスバー１２２はほぼ平面状であり、上面１１０に平行に延在する。バスバー１２２は取付けパッド１１８に設けられる。
【００３１】
ヘッダ１２０は、電源端子１０４を部分的に包囲するヘッダシュラウド１２８を含む。ヘッダシュラウド１２８は複数のシュラウド壁１３０を含む。例示的一実施形態では、シュラウド壁１３０は箱形状でもよい。ヘッダシュラウド１２８は、上部開口１３２及び正面開口１３４を有する。シュラウド壁１３０は、電源端子１０４の他の側面、例えば電源端子１０４の後側、内側、及び外側を包囲する。例示的一実施形態では、シュラウド壁１３０は、非導電性であり、電源端子１０４の不慮の接触から保護する。
【００３２】
ピン１２４は外側接触表面１３６を含む。ピン１２４は先端１３８まで延出する。例示的一実施形態では、先端１３８に近接して溝１４０が画定される。ピンヘッド１４２は溝１４０の上方に画定され、ピン１２４が溝１４０の上方に直径の比較的大きな部分を有するようにする。溝１４０はピン１２４の直径が比較的小さな部分である。任意で、ピンヘッド１４２はピン１２４が安全に接触するようにプラスチックでもよい。
【００３３】
組立中、電源端子コネクタ１０２は上部開口１３２を通ってヘッダシュラウド１２８内に装填される。電源端子コネクタ１０２が電源端子１０４に接続されると、電力端子コネクタ１０２は正面開口１３４を通ってヘッダシュラウド１２８から延出する。電源端子コネクタ１０２が電源端子１０４に結合されると、電源端子コネクタ１０２の一部が溝１４０に受容されて電源端子コネクタ１０２をピン１２４に固定する。例示的一実施形態では、電源端子コネクタ１０２は電源端子１０４から誤って外れることがない。むしろ、電源端子コネクタ１０２を溝１０４から外すためには意図的な動作が行われ、その後に電源端子コネクタ１０２がピンからピン軸１２６に平行な方向に持ち上げて外されることができる。
【００３４】
図３は、電源端子コネクタ１０２の分解図である。電源端子コネクタ１０２は、電源端子１０４（図２に示す）に電気的に接続されるように構成された端子本体１５０を含む。端子本体１５０は、ケーブル１０８の端部に終端接続するように構成される。電源端子コネクタ１０２は、端子本体１５０に受容されるコンタクトスプリング１５２を含む。コンタクトスプリング１５２は、端子本体１５０をピン１２４（図２に示す）に電気的に接続するために使用される。電源端子コネクタ１０２は、端子本体１５０を少なくとも部分的に包囲するハウジング１５４を含む。ハウジング１５４は、人間や電源端子コネクタ１０２を傷つける可能性のある感電を引き起こしかねない、人間や工具による不慮の接触から端子本体１５０を保護する。電源端子コネクタ１０２は、電源端子コネクタ１０２をピン１２４に固定するために使用されるスプリングクリップ１５６を含む。電源端子コネクタ１０２は、端子本体１５０に回転可能に結合されるように構成されたキャップ１５８を含む。キャップ１５８は、以下により詳細に記述されるように、スプリングクリップ１５６を作動して電源端子コネクタ１０２をピン１２４からロック解除するために使用される。任意で、電源端子コネクタ１０２は、ケーブル１０８に結合され、端子本体１５０の一部を被覆するように構成されたスリーブ１６０を含んでもよい。スリーブ１６０は、ハウジング１５４と同様に、人間又は工具による不慮の接触から端子本体１５０を保護する。任意で、スリーブ１６０は熱収縮チューブでもよい。
【００３５】
端子本体１５０は、終端部１６２と嵌合端部１６４との間に延在する。終端部１６２は、ケーブル１０８に終端接続するように構成される。例示的一実施形態では、終端部１６２は、ケーブル１０８に圧着されることができる圧着フェルールを含む。終端部１６２は、他の実施形態では他の手段によって、例えばケーブル１０８の端部に半田付けすることによって、ケーブル１０８に終端接続してもよい。端子本体１５０は、終端部１６２と嵌合端部１６４との間に延在する基部１６６を含む。
【００３６】
嵌合端部１６４において、基部１６６からはソケット１６８が延出している。例示的一実施形態では、ソケット１６８は中空室１７０を含む。任意で、この中空室１７０は、ソケット１６８の下端部を通してピン１２４を受容するために、その両端部において開口してもよい。例示的一実施形態では、ソケット１６８の外表面は、中空室１７０を画定する内表面と共に、ほぼ円筒形である。他の実施形態ではその他の形状も可能である。例示的一実施形態では、中空室１７０は、コンタクトスプリング１５２及びピン１２４（図２に示す）を収容するために、基部１６６で開口している。ソケット１６８の上部は中空室１７０に対して開口した開口１７１を含み、ピン１２４が開口１７１を貫通できるようにしている。ソケット１６８は、スプリングクリップ１５６の一部を受容するポケット１７２を含む。図示の実施形態では、ポケット１７２はソケット１６８の上部に設けられ、ソケット１６８の長手軸とほぼ平行に延在している。
【００３７】
コンタクトスプリング１５２は、第１の端部１７４と第２の端部１７６との間に延在する。コンタクトスプリング１５２は第１の端部１７４に環状バンドを、第２の端部１７６に他の環状バンドを有する。第１及び第２の端部１７４，１７６の環状バンド間には複数のスプリングビーム１７８が延在する。図示の実施形態では、スプリングビーム１７８は、コンタクトスプリング１５２の中央内側に向かってテーパ状になっている。コンタクトスプリング１５２は、コンタクトスプリング１５２の中央で縮径される。コンタクトスプリング１５２はコンタクトスプリング１５２の中央部では比較的に小さい直径を有し、第１及び第２の端部１７４，１７６では比較的大きな直径を有する。コンタクトスプリング１５２の縮径部はピン１２４と係合するように構成される。第１及び第２の端部１７４，１７６は、コンタクトスプリング１５２が中空室１７０に装填されると、ソケット１６８と係合するように構成される。例示的一実施形態では、スプリングビーム１７８は可撓性であり、ピン１２４がコンタクトスプリング１５２に装填されると外側に向かって撓んでもよい。コンタクトスプリング１５２は、ピン１２４と端子本体１５０との間の電路を画定する。
【００３８】
スプリングクリップ１５６は、曲線形状を有し、第１の端部１８０と第２の端部１８２との間に延在している。スプリングクリップ１５６は開口側１８４を有し、この開口側１８４の箇所で第１及び第２の端部１８０，１８２が互いに対向している。スプリングクリップ１５６は、開口側１８４の反対側に閉鎖側１８６を有する。スプリングクリップ１５６は、閉鎖側１８６の箇所で連結された第１のアーム１８８及び第２のアーム１９０を有する。第１のアーム１８８は第１の端部１８０まで延在している。第２のアーム１９０は第２の端部１８２まで延在している。第１と第２のアーム１８８，１９０間には開口１９１が形成されている。
【００３９】
例示的一実施形態では、第１と第２の端部１８０，１８２は、第１と第２のアーム１８８，１９０を広げるように、互いに離れるように移動されてもよい。第１と第２のアーム１８８，１９０を広げると、第１と第２のアーム１８８，１９０間の開口１９１の大きさが拡大する。
【００４０】
スプリングクリップ１５６は、ロック位置と逃げ位置との間を移動可能である。スプリングクリップ１５６は、ロック位置ではピン１２４と係合し、電源端子コネクタ１０２を電源端子１０４に固定するように構成される。スプリングクリップ１５６は、逃げ位置ではピン１２４から離脱されるように構成される。任意で、ロック位置では、第１及び第２の端部１８０，１８２は互いに比較的近接している。スプリングクリップ１５６がロック解除位置に移動すると、第１及び／又は第２の端部１８０，１８２は互いに離れるように移動してスプリングクリップ１５６の開口の大きさを拡大する。スプリングクリップ１５６がロック位置から逃げ位置に移動すると、スプリングクリップ１５６は弾性的に変形する。第１及び第２の端部１８０，１８２を離すことをやめると、スプリングクリップ１５６は通常のロック位置に戻る。
【００４１】
例示的一実施形態では、第１の端部１８０は端子本体１５０に固定的に結合されるように構成される。例示的一実施形態では、第１の端部１８０がポケット１７２に受容されるように構成される。第１の端部１８０がポケット１７２に受容されると、第１の端部１８０がソケット１６８に対して所定の位置に固定される。第２の端部１８２はキャップ１５８に結合されるように構成される。キャップ１５８を回転させると、第２の端部１８２は、第１の端部１８０に対して、スプリングクリップ１５６をロック位置から逃げ位置に移動させるように移動される。
【００４２】
図示の実施形態では、第２の端部１８２は半径方向外側に向かって延出しているのに対し、第１の端部１８０は軸方向外側に向かって延出している。第１の端部１８０は、第２の端部１８２に対してほぼ垂直方向を向いている。他の実施形態では、第１及び第２の端部１８０，１８２のその他の向きも可能である。第１の端部１８０は、他の実施形態では他の手段によって端子本体１５０に固定されてもよい。
【００４３】
キャップ１５８は、上部１９２及び底部１９４を含む。キャップ１５８は中空であり、ソケット１６８に被せるように構成される。キャップ１５８は、底部１９４に周縁１９６を含む。キャップ１５８は、端子本体１５０に回転可能に結合されるように構成される。例示的一実施形態では、ハウジング１５４を使用して端子本体１５０及びスプリングクリップ１５６に対して所定の位置にキャップ１５８が固定される。キャップ１５８はハウジング１５４に対して回転可能である。
【００４４】
ハウジング１５４は端子本体１５０に結合される。ハウジング１５４はプラスチック材料等の誘電材料から製造される。ハウジング１５４は端子本体１５０を包囲し、人間や、工具やワイヤ等のその他のコンポーネントによる端子本体１５０への不慮の接触を防止する。図示の実施形態では、ハウジング１５４は、主ハウジング２００及びスペーサ２０２（図４に示す）を含む２つの部品からなるハウジングである。スペーサ２０２は、終端部１６２に最も近い端子本体１５０上に配置される。スペーサ２０２は、基部１６６上のソケット１６８に隣接して配置されるように構成される。主ハウジング２００は、端子本体１５０の反対側に結合され、基部１６６及びソケット１６８に沿って延在している。主ハウジング２００は、キャップ１５８の周縁１９６を受容するように構成されたポケット２０４を含む。キャップ１５８は、ポケット２０４に捕捉され、端子本体１５０に固定される。キャップ１５８は、ポケット２０４内で回転可能である。
【００４５】
図４は、電源端子コネクタ１０２の部分的な組立図である。組立中、熱収縮チューブ１６０は、ケーブル１０８の端部を覆うように供給される。端子本体１５０は、ケーブル１０８の端部に終端接続する。例えば、終端部１６２は、ケーブル１０８の端部に圧着されてもよい。次に、熱収縮チューブ１６０が、ケーブル１０８及び端子本体１５０の終端部１６２を覆うように配置される。熱収縮チューブ１６０は、終端部１６２とケーブル１０８との接点を被覆する。
【００４６】
組立中、スプリングクリップ１５６は、ソケット１６８で端子本体１５０に結合される。例えば、スプリングクリップ１５６の第１の端部１８０が、ソケット１６８の上部のポケット１７２（図３に示す）に装填される。任意で、スプリングクリップ１５６は、ソケット１６８の上部の真上に配置されてもよい。スプリングクリップ１５６の開口は、ソケット１６８の上部の開口１７１と整列する。
【００４７】
組立中、スペーサ２０２は、端子本体１５０上の熱収縮チューブ１６０とソケット１６８との間に配置される。次に、キャップ１５８が端子本体１５０に取付けられてもよい。キャップ１５８はソケット１６８上に搭載される。スプリングクリップ１５６の第２の端部１８２はキャップ１５８に結合される。例えば、第２の端部１８２は、第２の端部１８２を保持するキャップ内のスロット又はチャネルに受容されてもよい。主ハウジング２００は端子本体１５０に結合される。主ハウジング２００は、端子本体１５０に結合されるとスペーサ２０２及びキャップ１５８を捕捉する。主ハウジング２００は、例えば、締まり嵌めや、ラッチ機能部やその他の種類の固定機能部を使用することによって、端子本体１５０に固定される。例えば、端子本体１５０は、主ハウジング２００と係合して端子本体１５０を主ハウジング２００に固定するロッキングランス又はバーブを含む。
【００４８】
図５は、電源端子１０４に結合される電源端子コネクタ１０２の断面図である。電源端子コネクタ１０２は、ピン軸１２６に沿ってピン１２４上に装填される。電源端子コネクタ１０２は矢印Ａで示す装填方向に装填される。
【００４９】
電源端子コネクタ１０２が組立てられると、スプリングクリップ１５６は端子本体１５０及びキャップ１５８に結合される。コンタクトスプリング１５２は、ソケット１６８の中空室１７０に装填される。例示的一実施形態では、コンタクトスプリング１５２は、締まり嵌めによって中空室１７０内に保持される。例えば、第１及び第２の端部１７４，１７６はソケット１６８に対して付勢されてもよい。スプリングビーム１７８は、中空室１７０の内側に向かって延出する。スプリングビーム１７８は、ピン１２４の接触面１３６と係合するように構成される。
【００５０】
キャップ１５８は、ソケット１６８の上部を覆うように延在する。キャップ１５８の周縁１９６はポケット２０４内に捕捉される。例示的一実施形態では、キャップ１５８は、底部１９４から延出するタブ２０６を含む。タブ２０６は、スペーサ２０２内に形成されたチャネル２０８内に受容される。キャップ１５８が回転されてスプリングクリップ１５６を作動させると、チャネル２０８はタブ２０６を誘導する。
【００５１】
例示的一実施形態では、端子本体１５０は、基部１６６から下方に延出するロッキングランス２１０を含む。ロッキングランス２１０は主ハウジング２００の対応する開口内に延出し、端子本体１５０を主ハウジング２００内に固定する。
【００５２】
図６は、電源端子１０４に結合される電源端子コネクタ１０２の断面図である。図６は組立の途中の段階を示す。電源端子コネクタ１０２は電源端子１０４に電気的に接続されているが、電源端子コネクタ１０２は非着座位置にある。電源端子コネクタ１０２は、適切に使用されるためには完全に着座されてロックされなければならない。
【００５３】
非着座位置では、電源端子コネクタ１０２は、ピン１２４が中空室１７０内に受容されるようにピン１２４上に搭載される。接触面１３６は、コンタクトスプリング１５２のスプリングビーム１７８と係合する。ピン１２４はソケット１６８の上部開口１７１を貫通するが、ピン１２４の先端１３８はスプリングクリップ１５６に係合している。スプリングクリップ１５６は先端１３８と干渉し、ピン１２４が電源端子コネクタ１０２に完全に装填されることを阻止する。第１及び第２のアーム１８８，１９０間の開口１９１の幅は、先端１３８の直径よりも狭い。ピン１２４がスプリングクリップ１５６を通過し、電源端子コネクタ１０２を完全に着座する位置まで移動させることができるように、スプリングクリップ１５６は逃げ位置に移動されなければならない。キャップ１５８を回転させて、第２の端部１８２（図３に示す）を、第１の端部１８０（図３に示す）に対して、第２のアーム１９０を第１のアーム１８８から離れるように拡張するように移動させて開口１９１を拡げ、電源端子コネクタ１０２が電源端子１０４上に完全に着座することができるようにする。キャップ１５８を他の方法で移動させて電源端子コネクタ１０２を着座させるようにしてもよい。例えば、キャップ１５８を下方に押圧して垂直方向下向きの力を電源端子コネクタ１０２に加え、これによって、スプリングクリップ１５６が先端１３８を通過するまでスプリングクリップ１５６をピン１２４の大半径に沿ってスライドさせるようにしてもよい。スプリングクリップ１５６は、電源端子コネクタ１０２がピン１２４に対して垂直方向下方に押圧される時、ピン１２４との相互作用によって逃げ位置まで拡張されてもよい。
【００５４】
図７は、着座及びロック位置にある電源端子コネクタ１０２及び電源端子１０４の断面図である。完全に着座した状態において、ピン１２４は中空室１７０に完全に装填される。コンタクトスプリング１５２は、ピン１２４の接触面１３６と係合する。コンタクトスプリング１５２は、ピン１２４と端子本体１５０を電気的に相互接続する。ピン１２４の先端１３８は、上部開口１７１とスプリングクリップ１５６を通ってキャップ１５８内に延出する。着座状態では、スプリングクリップ１５６は溝１４０内に捕捉される。
【００５５】
スプリングクリップ１５６はロック位置にあり、この位置では第１及び第２のアーム１８８，１９０は、ピンヘッド１４２下方の、ピンヘッド１４２よりも小さい半径を有する溝１４０内に配置される。ピンヘッド１４２は、スプリングクリップ１５６を捕捉して電源端子１０４に対する電源端子コネクタ１０２の相対位置をロックする。
【００５６】
図８は、電源端子１０４に対してロック解除位置にある電源端子コネクタ１０２の断面図である。ロック解除位置では、スプリングクリップ１５６は逃げ位置に移動されている。例えば、キャップ１５８を回転させ、ソケット１６８に対して所定の位置に固定された第１の端部１８０に対して第２の端部１８２（図３に示す）を回転する。キャップ１５８の回転により、第２のアーム１９０を第１のアーム１８８から離れるように拡張させ、少なくともピンヘッド１４２と同程度に開口１９１を広げる。スプリングクリップ１５６は、逃げ位置ではピン１２４から離脱される。電源端子コネクタ１０２が一旦ロック解除位置になり、スプリングクリップ１５６が逃げ位置になると、矢印Ｂの方向等、ピン軸１２６に平行な方向に電源端子コネクタ１０２をピン１２４から持ち上げることによって、電源端子コネクタ１０２は電源端子１０４から切断されてもよい。
【００５７】
図９及び１０は、分かり易いようにキャップ１５８（図３に示す）を取り外した状態の電源端子コネクタ１０２の一部の上面図である。図９は、ロック状態の電源端子コネクタ１０２を示す。図１０は、ロック解除状態の電源端子コネクタ１０２を示す。図９は、ロック位置にあるスプリングクリップ１５６を示す。図１０は、逃げ位置にあるスプリングクリップ１５６を示す。
【００５８】
スプリングクリップ１５６の第２の端部１８２は、半径方向外側に延出し、キャップ１５８内に捕捉されるように構成される。例えば、キャップ１５８は、第２の端部１８２を受容するスロット２２０（図９に透視で示す）を含んでもよい。第２の端部１８２は、キャップ１５８が回転されると第２の端部１８２がキャップ１５８と共に回転されるように、スロット２２０内に捕捉される。
【００５９】
キャップ１５８が回転されると、スプリングクリップ１５６は変形する。例えば、図示の実施形態では、ロック位置において、スプリングクリップ１５６はほぼ楕円形であるが、逃げ位置では、スプリングクリップ１５６は側面が開いたリング形状である。開口１９１の幅は、スプリングクリップ１５６がロック位置から逃げ位置に移動されるにつれて増加される。
【００６０】
スプリングクリップ１５６は、開口側１８４が閉鎖側１８６の反対側にあるように方向づけされる。第１及び第２のアーム１８８，１９０間の距離は、開口側１８４と閉鎖側１８６との間の距離よりも短い。図示の実施形態では、開口側１８４と閉鎖側１８６との間の距離はピンヘッド１４２の直径よりも長いが、開口側１８４と閉鎖側１８６との間の約中間にある第１及び第２のアーム１８８，１９０間の幅はピンヘッドの直径よりも短い。従って、第１及び第２のアーム１８８，１９０はピンヘッド１４２によって溝１４０（図２に示す）内に捕捉される。ロック位置では、第１のアーム１８８はピン１２４の一方の側面２２６と係合し、第２のアーム１９０はピン１２４の他方の側面２２８と係合する。
【００６１】
ロック位置では、第１及び第２の端部１８０，１８２は互いに対して比較的近接するように配置され、距離２２２だけ離間している。逃げ位置では、キャップ１５８を回転させると、第２の端部１８２が第１の端部１８０から離れるように移動する。第２の端部１８２は距離２２２よりも長い距離２２４だけ第１の端部１８０から離れて配置される。他の実施形態では、第１及び第２のアーム１８８，１９０を先端１３８の大きな半径に沿って強制的にスライドさせることによって、第１及び第２のアーム１８８，１９０を広げ、先端１３８を通過させてもよい。
【００６２】
図１１及び１２は、電源端子コネクタ１０２の斜視図である。図１１は、非作動位置にあるキャップ１５８を示す。図１２は、作動位置にあるキャップ１５８を示す。キャップ１５８は、非作動位置と作動位置との間で回転される。キャップ１５８の回転により、スプリングクリップ１５６がロック位置から逃げ位置に移動する。
【００６３】
キャップ１５８は、それから半径方向外側に向かって延出する停止部２３０を含む。停止部２３０はキャップ１５８の回転限界を定める。停止部２３０は、主ハウジング２００の肩部２３２に係合してキャップ１５８の回転を停止する。図示の実施形態では、停止部２３０は互いに約９０°離れて配置される。停止部２３０によって、キャップ１５８は約９０°回転することが許容される。停止部２３０は、互いに任意の角度の位置に配置されることができる。停止部２３０はキャップ１５８の外部にあるように図示されているが、他の実施形態では停止部２３０はどこに配置されてもよい。例えば、停止部２３０は、底部１９４から下方に延出してスペーサ２０２及び／又は主ハウジング２００と係合し、キャップ１５８の回転を制限するようにしてもよい。
【００６４】
電源端子コネクタ１０２は、電源端子１０４（図２に示す）に対して迅速に接続及び切断されるように構成されている。接続中、スプリングクリップ１５６を強制的にピンヘッド１４２の大きな半径に沿ってスライドさせて広げ、更にピン１２４に沿って下方に移動させて溝１４０に進入させ、溝１４０においてスプリングクリップ１５６がロック位置に弾発的に戻るようにすることができる。キャップ１５８の回転によって、ロック位置と逃げ位置との間のスプリングクリップ１５６の移動が容易になり、電源端子コネクタを電源端子１０４から取り外すことができるようになる。
【００６５】
図１３は、例示的一実施形態に従って形成された電源端子コネクタ３０２の分解図である。電源端子コネクタ３０２は電源端子１０４（図２に示す）に結合されてもよい。電源端子コネクタ３０２は、電源端子コネクタ３０２を電源端子１０４に固定するためのスプリングクリップを作動させるための異なる手段を含む。
【００６６】
電源端子コネクタ３０２は、電源端子１０４に電気的に接続されるように構成された端子本体３５０を含む。端子本体３５０は、ケーブル３０８の端部に終端接続するように構成される。電源端子コネクタ３０２は内部にコンタクトスプリングを含み、このコンタクトスプリングはコンタクトスプリング１５２（図３に示す）と類似のものでもよい。電源端子コネクタ３０２は、端子本体３５０を少なくとも部分的に包囲するハウジング３５４を含む。ハウジング３５４は、人間や電源端子コネクタ３０２を傷つける可能性のある感電を引き起こしかねない、人間又は工具による不慮の接触から端子本体３５０を保護する。電源端子コネクタ３０２は、電源端子コネクタ３０２を電源端子１０４のピン１２４（図２に示す）に固定するために使用されるスプリングクリップ３５６（図１４に示す）を含む。電源端子コネクタ３０２は、端子本体３５０に結合されるように構成されたキャップ３５８を含む。任意で、キャップ３５８は、ハウジング３５４を用いて端子本体３５０に結合されてもよい。キャップ３５８は、以下により詳細に記述されるように、スプリングクリップ３５６を作動して電源端子コネクタ３０２をピン１２４からロック解除するために使用される。
【００６７】
ハウジング３５４は端子本体３５０に結合される。ハウジング３５４はプラスチック材料等の誘電材料から製造される。ハウジング３５４は端子本体３５０を被覆し、人間や、工具やワイヤ等の他のコンポーネントによる端子本体３５０への不慮の接触を防止する。図示の実施形態では、ハウジング３５４は、上部ハウジング３６０及び下部ハウジング３６２を含む２つの部品からなるハウジングである。上部ハウジングは、スプリングクリップ３５６及びキャップ３５８を保持及び支持する。
【００６８】
図１４は、スプリングクリップ３５６を示す。スプリングクリップ３５６は曲線形状を有し、第１の端部３８０と第２の端部３８２との間に延在している。スプリングクリップは、ピン１２４を受容するように構成されたリング３８４を有する。任意で、リング３８４は長尺状であってもよい。リング３８４は楕円形でもよい。スプリングクリップ３５６は、リング３８４の一方の側に、ピン１２４を受容するポケットを画定する閉鎖側３８６を有する。スプリングクリップ３５６は第１のアーム３８８及び第２のアーム３９０を有し、両アームとも閉鎖側３８６のほぼ反対側にあり、両アームとも互いに対してほぼ平行に延在し、互いから垂直方向に離間している。第１及び第２のアーム３８８，３９０は互いに対して移動可能であってもよい。第１及び第２のアーム３８８，３９０は、閉鎖側３８６からほぼ等距離の位置にあってもよい。第１のアーム３８８は第１の端部３８０まで延在している。第２のアーム３９０は第２の端部３８２まで延在している。図示の実施形態では、第１及び第２のアーム３８８，３９０は、第１及び第２の端部３８０，３８２が第１及び第２のアーム３８８，３９０の残りの部分に対してほぼ垂直に延在したＬ字形である。
【００６９】
スプリングクリップ３５６は、ロック位置と逃げ位置との間を移動可能である。スプリングクリップ３５６は、ロック位置ではピン１２４と係合して電源端子コネクタ３０２を電源端子１０４に固定するように構成される。スプリングクリップ３５６は、逃げ位置ではピン１２４から離脱されるように構成される。スプリングクリップ３５６は、キャップ３５８（図１５に示す）を用いて第１及び第２のアーム３８８，３９０を押圧することによってロック位置から逃げ位置へ移動可能であり、それによってピン１２４に対するリング３８４の位置が変化し、リング３８４の幅が広い方の部分がピン１２４と整列し、スプリングクリップ３５６がピン１２４から持ち上げられるようになる。スプリングクリップ３５６は、スプリングクリップ３５６がロック位置から逃げ位置へ移動されると少なくとも部分的に弾性変形されてもよい。
【００７０】
図１５は、キャップ３５８を示す。キャップ３５８は、上部３９２及び底部３９４を含む。キャップは、上部３９２と底部３９４との間に作動端３９６を含む。キャップ３５８は、上部押し表面４００及び下部押し表面４０２を含む。上部押し表面４００は、前方壁４０４と、前方壁４０４から後方に傾斜した傾斜壁４０６とを含む。下部押し表面４０２は、前方壁４０８と、前方壁４０８から後方に傾斜した傾斜壁４１０とを含む。上部及び下部押し表面４００，４０２は、各々第１及び第２のアーム３８８，３９０（図１４に示す）と係合する。
【００７１】
図１６及び１７は各々、非作動位置及び作動位置にあるキャップ３５８及びスプリングクリップ３５６を示す電源端子コネクタ３０２の断面図である。キャップ３５８が非作動状態にある時、スプリングクリップ３５６はロック位置にある。キャップ３５８が作動されると、スプリングクリップ３５６は逃げ位置になる。例示的一実施形態では、キャップ３５８は、矢印Ｃの方向等、キャップ３５８を端子本体３５０に向かう方向に押圧することによって作動される。スプリングクリップ３５６はキャップ３５８と共に変位され、ピン１２４に対してスプリングクリップ３５６を移動させる。
【００７２】
図１８及び１９は、電源端子１０４のピン１２４に結合された電源端子コネクタ３０２の断面図であり、各々非作動位置及び作動位置にあるキャップ３５８及びスプリングクリップ３５６を示す。ピン１２４に対するスプリングクリップ３５６の軌道は、図１８及び１９において各々破線４２０，４２２によって示す。
【００７３】
キャップ３５８が非作動状態にある時、スプリングクリップ３５６はロック位置にある。スプリングクリップ３５６の軌道４２０から分かるように、スプリングクリップ３５６は、ピンヘッド１４２（図２に示す）の下の溝１４０内に位置している。キャップ３５８が作動されると、スプリングクリップ３５６は逃げ位置になる。スプリングクリップ３５６の軌道４２２から分かるように、スプリングクリップ３５６のリング３８４の幅の広い方の部分がピン１２４と整列し、スプリングクリップ３５６がピン１２４から持ち上げられるようになる。
【００７４】
キャップ３５８が作動されると、上部押し表面４００が第１のアーム３８８を押圧する。第１のアーム３８８の一部が前方壁４０４に沿って延在し、前方壁４０４によって押圧され、第１のアームの一部が傾斜壁４０６に沿って延在し、傾斜壁４０６によって押圧される。スプリングクリップ３５６が前方に向かって押圧されると、第１のアーム３８８は撓まされる。例えば、第１の端部３８０が上部ハウジング３６０に固定されているので、スプリングクリップ３５６を前方に向かって押圧されると第１のアーム３８８が屈曲される。キャップ３５８及びスプリングクリップ３５６を作動させると、スプリングクリップ３５６の形状が変化する。第２のアーム３９０（図１４に示す）も同様に傾斜し撓むが、第２の端部３８２がハウジングの反対側に固定されているので、反対方向に傾斜する。
【図１】
0006025224.tif 000002
【図２】
0006025224.tif 000003
【図３】
0006025224.tif 000004
【図４】
0006025224.tif 000005
【図５】
0006025224.tif 000006
【図６】
0006025224.tif 000007
【図７】
0006025224.tif 000008
【図８】
0006025224.tif 000009
【図９】
0006025224.tif 000010
【図１０】
0006025224.tif 000011
【図１１】
0006025224.tif 000012
【図１２】
0006025224.tif 000013
【図１３】
0006025224.tif 000014
【図１４】
0006025224.tif 000015
【図１５】
0006025224.tif 000016
【図１６】
0006025224.tif 000017
【図１７】
0006025224.tif 000018
【図１８】
0006025224.tif 000019
【図１９】
0006025224.tif 000020